(57)【特許請求の範囲】
【請求項１】
受皿本体部に内容物を収容した受皿と、前記受皿本体部の上面開口を覆って装着された蓋とからなる包装容器であって、
前記受皿は、前記受皿本体部の周壁の上端部と、該上端部の上端縁部から外側に張り出して設けられたフランジ部と、該フランジ部の外側縁部から垂下して設けられた垂下部とを含む受皿側係止部を備えており、
前記蓋は、前記受皿本体部の上面開口を覆う蓋本体部の外側縁部から立設して設けられた立設部と、該立設部の上端縁部から外側に張り出して設けられたフランジ部と、該フランジ部の外側縁部から垂下して設けられた垂下部とを含む蓋側係止部を備えており、
前記受皿側係止部と前記蓋側係止部とは、前記蓋側係止部に前記受皿側係止部を嵌め込むことで、内嵌合部及び外嵌合部による係合によって、少なくとも前記受皿本体部の周壁の上端部と前記蓋側係止部の立設部とを重ね合せた状態で、嵌着されており、
前記内嵌合部は、前記受皿本体部の周壁の上端部と前記蓋側係止部の立設部の下端角部との密着による角部嵌合部と、該角部嵌合部よりも上方の部分における、前記受皿本体部の周壁の上端部と前記蓋側係止部の立設部との密着による上部嵌合部を有し、前記角部嵌合部は前記上部嵌合部に比べて嵌合代が大きい二段構成の嵌着部を形成しており、
前記内嵌合部の二段構成の嵌着部を形成する前記受皿本体部の周壁の上端部が、前記蓋側係止部の立設部に対して斜め内側に傾斜するテーパー状周壁部を含んでいる包装容器。
【請求項２】
前記受皿本体部の周壁の上端部には、前記受皿側係止部のフランジ部の内側縁部から垂下して前記テーパー状周壁部の上端縁部に接続する、垂下周壁部が設けられており、該垂下周壁部は、前記蓋側係止部の立設部の高さよりも短い長さで垂下している請求項１記載の包装容器。
【請求項３】
前記蓋には、前記蓋側係止部の垂下部から下方に延設して、縮径部を有する延設部が設けられており、前記受皿には、前記受皿側係止部の垂下部の下端縁部から外側に向けて横方向に張り出して、外側係止部が設けられており、該外側係止部は、前記蓋側係止部の垂下部の前記縮径部との接続基端部に係止されることで、前記外嵌合部が形成されている請求項１又は２記載の包装容器。
【請求項４】
前記上部嵌合部における、前記受皿本体部の周壁の上端部と前記蓋側係止部の立設部との高さ方向の接触長さは、前記角部嵌合部における高さ方向の接触長さよりも、大きくなっている請求項１〜３のいずれか１項記載の包装容器。
【請求項５】
前記蓋側係止部の厚さは、前記受皿側係止部の厚さよりも、薄くなっている請求項１〜４のいずれか１項記載の包装容器。
【請求項６】
前記蓋本体部は、その中央に押圧操作部を含んで形成されている請求項１〜５のいずれか１項記載の包装容器。
【請求項７】
前記受皿本体部に詰め替え用の内容物が収容されており、有底筒形状の被詰替え容器の上面開口から、当該被詰替え容器の内側に前記受皿を装着することによって、内容物を詰め替える詰替え用受皿容器として用いられるようになっており、前記被詰替え容器の周壁の上端部を被載置部として、前記蓋側係止部の前記垂下部の下端縁部から下方に延設する延設部に設けられた延設載置部を、当該周壁の上端部に載置することにより、前記蓋を介して前記受皿を前記被詰替え容器の周壁に支持させた状態から、前記蓋に上方から押圧力を加えることで、前記受皿側係止部の嵌着状態を解除させて、前記受皿を前記被詰替え容器の内側に落し込んで装着するようになっている請求項１〜６のいずれか１項記載の包装容器。
【請求項８】
受皿本体部に内容物が収容される受皿と、前記受皿本体部の上面開口を覆って装着される蓋とからなる包装容器であって、
前記受皿は、前記受皿本体部の周壁の上端部と、該上端部の上端縁部から外側に張り出して設けられたフランジ部と、該フランジ部の外側縁部から垂下して設けられた垂下部とを含む受皿側係止部を備えており、
前記蓋は、前記受皿本体部の上面開口を覆う蓋本体部の外側縁部から立設して設けられた立設部と、該立設部の上端縁部から外側に張り出して設けられたフランジ部と、該フランジ部の外側縁部から垂下して設けられた垂下部とを含む蓋側係止部を備えており、
前記受皿側係止部と前記蓋側係止部とは、前記蓋側係止部に前記受皿側係止部を嵌め込むことで、内嵌合部及び外嵌合部による係合によって、少なくとも前記受皿本体部の周壁の上端部と前記蓋側係止部の立設部とを重ね合せた状態で、嵌着されており、
前記内嵌合部は、前記受皿本体部の周壁の上端部と前記蓋側係止部の立設部の下端角部との密着による角部嵌合部と、該角部嵌合部よりも上方の部分における、前記受皿本体部の周壁の上端部と前記蓋側係止部の立設部との密着による上部嵌合部を有し、前記角部嵌合部は前記上部嵌合部に比べて嵌合代が大きい二段構成の嵌着部を形成しており、
前記内嵌合部の二段構成の嵌着部を形成する前記受皿本体部の周壁の上端部が、前記蓋側係止部の立設部に対して斜め内側に傾斜するテーパー状周壁部を含んでいる包装容器。
【発明の詳細な説明】
【技術分野】
【０００１】
本発明は、包装容器に関し、特に受皿と蓋とからなる包装容器に関する。
【背景技術】
【０００２】
近年、各種の液体や粉粒体等を収容する合成樹脂製の包装容器についても、環境負荷の低減が図られるようになっており、使用する樹脂量を減らした薄肉の包装容器が種々開発されている。また、各種の液体や粉粒体等を収容する容器として、パウチ等の柔軟な軟包装材による袋状の包装容器の他、薄肉の合成樹脂製のシート材料による、内容物を収容した受皿と蓋とからなる、例えばコンビ弁当等に使用する使い捨て用の受皿容器が包装容器として多く用いられている（例えば、特許文献１〜３参照）。これらの包装容器は、受皿や蓋を、薄肉の合成樹脂製のシート材料から、例えば真空成形等によって、所望の形状となるように精度良く且つ効率良く形成することが可能である。
【０００３】
また、薄肉の合成樹脂製のシート材料から形成される包装容器は、受皿に蓋を装着した際に、収容した内容物が漏れ出ないように強固に嵌着できるようにすると共に、受皿から蓋を取り外す操作をスムーズに行うことができるように、受皿と蓋との内嵌合や外嵌合による係着構造に、種々の工夫がなされている（例えば、特許文献１〜３参照）。
【先行技術文献】
【特許文献】
【０００４】
【特許文献１】特開平７−２０６０２１号公報
【特許文献２】特開２００３−２５２３５７号公報
【特許文献３】特開２００７−１８６２３０号公報
【発明の概要】
【発明が解決しようとする課題】
【０００５】
一方、近年、商品形態の多様化や消費者のニーズの多様化等から、液体や粉粒体等を内容物として収容する、例えば掌サイズ程度の大きさの簡易でコンパクトな形状の使い捨て用の包装容器を、薄肉の合成樹脂製のシート材料を用いて形成することが要望されている。このような簡易でコンパクトな形状の使い捨て用の包装容器では、例えばコンビ弁当等に使用する受皿容器に用いられていた、従来の受皿と蓋との係着構造を採用した場合に、例えば両手を使用して係着状態を開放する必要を生じて、蓋を受皿から取り外す操作を行ない難くなると共に、受皿容器が不安定になって内容物をこぼし易くなる。このため、薄肉の合成樹脂製のシート材料から形成される簡易でコンパクトな形状の包装容器において、収容された内容物が漏れ出ないように蓋を装着した状態から、好ましくはワンプッシュの簡単な操作によって、受皿と蓋との係着状態をスムーズに開放させて、蓋を受皿から容易に取り外すことができるようにする技術の開発が要望されている。
【０００６】
しかしながら、薄肉の合成樹脂製のシート材料から形成される簡易でコンパクトな形状の包装容器は、好ましくはワンプッシュの簡単な操作によって、蓋を受皿から容易に取り外すことができるようにすると、包装容器が使用されるまでの間に、受皿と蓋との係着部の係合が緩み易くなって、内容物が漏れ出ることが懸念されると共に、係着部で面同志が接触してなじんだことにより面同志が剥がれ難くなる現象である、ブロッキングを生じて蓋を受皿から取り外し難くなることが懸念される。
【０００７】
本発明は、好ましくはワンプッシュの簡単な操作によって、受皿と蓋との係着状態をスムーズに開放させて、蓋を受皿から容易に取り外すことができると共に、受皿容器が使用されるまでの間に、内容物が漏れ出たりブロッキングを生じたりするのを効果的に回避することのできる包装容器を提供することを目的とする。
【課題を解決するための手段】
【０００８】
本発明は、受皿本体部に内容物を収容した受皿と、前記受皿本体部の上面開口を覆って装着された蓋とからなる包装容器であって、前記受皿は、前記受皿本体部の周壁の上端部と、該上端部の上端縁部から外側に張り出して設けられたフランジ部と、該フランジ部の外側縁部から垂下して設けられた垂下部とを含む受皿側係止部を備えており、前記蓋は、前記受皿本体部の上面開口を覆う蓋本体部の外側縁部から立設して設けられた立設部と、該立設部の上端縁部から外側に張り出して設けられたフランジ部と、該フランジ部の外側縁部から垂下して設けられた垂下部とを含む蓋側係止部を備えており、前記受皿側係止部と前記蓋側係止部とは、前記蓋側係止部に前記受皿側係止部を嵌め込むことで、内嵌合部及び外嵌合部による係合によって、少なくとも前記受皿本体部の周壁の上端部と前記蓋側係止部の立設部とを重ね合せた状態で、嵌着されており、前記内嵌合部は、前記受皿本体部の周壁の上端部と前記蓋側係止部の立設部の下端角部との密着による角部嵌合部と、該角部嵌合部よりも上方の部分における、前記受皿本体部の周壁の上端部と前記蓋側係止部の立設部との密着による上部嵌合部を有し、前記角部嵌合部は前記上部嵌合部に比べて嵌合代が大きい二段構成の嵌着部を形成している包装容器を提供することにより、上記目的を達成したものである。
【発明の効果】
【０００９】
本発明の包装容器によれば、好ましくはワンプッシュの簡単な操作によって、受皿と蓋との係着状態をスムーズに開放させて、蓋を受皿から容易に取り外すことができると共に、受皿容器が使用されるまでの間に、内容物が漏れ出たりブロッキングを生じたりするのを効果的に回避することができる。
【図面の簡単な説明】
【００１０】
【図１】本発明の好ましい一実施形態に係る包装容器の、（ａ）は斜視図、（ｂ）は（ａ）のＡ−Ａに沿った破断斜視図である。
【図２】本発明の好ましい一実施形態に係る包装容器の、図１（ａ）のＡ−Ａに沿った断面図である。
【図３】本発明の好ましい一実施形態に係る包装容器を説明する図２のＢ部拡大略示断面図である。
【図４】本発明の好ましい一実施形態に係る包装容器を説明する要部拡大略示断面図である。
【図５】本発明の好ましい一実施形態に係る包装容器を用いて被詰替え容器に内容物を詰め替える状況を説明する破断斜視図、及びＣ部拡大略示断面図である。
【図６】本発明の好ましい一実施形態に係る包装容器を用いて被詰替え容器に内容物を詰め替える状況を説明する破断斜視図、及びＤ部拡大略示断面図である。
【図７】本発明の好ましい一実施形態に係る包装容器を用いて被詰替え容器に内容物を詰め替える状況を説明する破断斜視図、及びＥ部拡大略示断面図である。
【発明を実施するための形態】
【００１１】
図１（ａ）、（ｂ）及び図２に示す本発明の好ましい一実施形態に係る包装容器１０は、詰め替え用の内容物として、例えば微細な粉体であるファンデーション、粉おしろい、チーク等の粉体化粧料を、被詰替え容器として、好ましくはコンパクト容器のコンパクト本体３０（図５参照）に詰め替えるための、詰替え用の合成樹脂製の受皿状の容器となっている。本実施形態の包装容器１０は、好ましくはシンプルなデザインの扁平な有底円筒形状の皿状のコンパクト本体３０に、好ましくはワンプッシュの簡単な操作によって、粉体化粧料を飛散させたり漏れ出させたりすることなく、容易に詰め替えることができるようにする機能を備える。また、本実施形態の包装容器１０は、受皿１１と蓋１３との係合状態をスムーズに開放させて、受皿１１を蓋１３から容易に取り外してコンパクト本体３０の内部に落下させることができるようにすると共に（図７参照）、包装容器１０が使用されるまでの間に、受皿１１に収容された内容物が漏れ出たり、受皿１１と蓋１３との嵌着部にブロッキングを生じたりするのを、効果的に回避できるようにする機能を備える。
【００１２】
そして、本実施形態の包装容器１０は、図１（ａ）、（ｂ）及び図２に示すように、受皿本体部１１ａに内容物を収容した受皿１１と、受皿本体部１１ａの上面開口を覆って装着された蓋１３とからなる合成樹脂製の容器である。受皿１１は、受皿本体部１１ａの周壁１１ｂの上端部１１ｄと、上端部１１ｄの上端縁部から外側に張り出して設けられたフランジ部１２ｃと、フランジ部１２ｃの外側縁部から垂下して設けられた垂下部１２ｄとを含む受皿側係止部１２を備えており、蓋１３は、受皿本体部１１ａの上面開口を覆う蓋本体部１３ａの外側縁部から立設して設けられた立設部１４ｂと、立設部１４ｂの上端縁部から外側に張り出して設けられたフランジ部１４ｃと、フランジ部１４ｃの外側縁部から垂下して設けられた垂下部１４ｄとを含む蓋側係止部１４を備えている。図３及び図４にも示すように、受皿側係止部１２と蓋側係止部１４とは、蓋側係止部１４に受皿側係止部１２を嵌め込むことで、内嵌合部２１及び外嵌合部２２による係合によって、少なくとも受皿本体部１１ａの周壁１１ｂの上端部１１ｄと蓋側係止部１４の立設部１４ｂとを重ね合せた状態で、嵌着されている。なお、垂下部１２ｄ、１４ｄは、フランジ部１２ｃ、１４ｃの張り出し方向に対して垂直に延設しているとは限らず、また鉛直に延設しているとは限らない。
【００１３】
内嵌合部２１は、受皿本体部１１ａの周壁１１ｂの上端部１１ｄと、蓋側係止部１４の立設部１４ｂの下端角部１４ｅとの密着による角部嵌合部２１ｂを有し、更に角部嵌合部２１ｂよりも上方の部分における、受皿本体部１１ａの周壁１１ｂの上端部１１ｄと、蓋側係止部１４の立設部１４ｂとの密着による上部嵌合部２１ａを有している。角部嵌合部２１ｂは、上部嵌合部２１ａに比べて嵌合代が大きくなっており、内嵌合部２１は、嵌合代の大きい角部嵌合部２１ｂと、嵌合代の小さい上部嵌合部２１ａとの二段構成の嵌着部を形成している。なお、本明細書において、包装容器１０を正立させた状態で受皿１１に対して蓋１３が位置する側を上方または上側と呼称し、反対側を下方または下側と呼称する。
【００１４】
また、本実施形態では、内嵌合部２１の二段構成の嵌着部を形成する受皿本体部１１ａの周壁１１ｂの上端部１１ｄが、蓋側係止部１４の立設部１４ｂに対して斜め内側に傾斜するテーパー状周壁部１１ｅを含んでいる。すなわち、受皿本体部１１ａは、底部１１ｃと周壁１１ｂとを有しており、周壁１１ｂは、底部１１ｃから上面開口に向けて内径を滑らかに拡径させた、テーパー状周壁部１１ｅを含んでいる。図３及び図４に示すように、テーパー状周壁部１１ｅは、周壁１１ｂの上端部１１ｄまで及んでおり、上端部１１ｄは、その一部（下部）がテーパー状周壁部１１ｅとなっている。周壁１１ｂの上端部１１ｄが、蓋側係止部１４の立設部１４ｂに対して斜め内側に傾斜するテーパー状周壁部１１ｅを含んでいることで、内嵌合部２１は、テーパー状周壁部１１ｅの、蓋側係止部１４の立設部１４ｂの下端角部１４ｅへの密着による嵌合代の大きな角部嵌合部２１ｂと、角部嵌合部２１ｂよりも上方の部分における、受皿本体部１１ａの周壁１１ｂの上端部１１ｄの、蓋側係止部１４の立設部１４ｂへの密着による嵌合代の小さな上部嵌合部２１ａとによる、二段構成の嵌着部を形成している。
【００１５】
本実施形態では、上部嵌合部２１ａにおける、受皿本体部１１ａの周壁１１ｂの上端部１１ｄと蓋側係止部１４の立設部１４ｂとの高さ方向の接触長さは、角部嵌合部２１ｂにおける高さ方向の接触長さよりも、大きくなっている。
【００１６】
また、本実施形態では、受皿本体部１１ａの周壁１１ｂの上端部１１ｄには、受皿側係止部１２のフランジ部１２ｃの内側縁部から垂下してテーパー状周壁部１１ｅの上端縁部に接続する、垂下周壁部１１ｆが設けられており、垂下周壁部１１ｆは、蓋側係止部１４の立設部１４ｂの高さよりも短い長さで垂下している。垂下周壁部１１ｆは、テーパー状周壁部１１ｅに比べて、底部１１ｃから上面開口に向けて拡径の程度が小さいものであり、フランジ部１２ｃの張り出し方向に対して垂直に延設しているとは限らず、また鉛直に延設しているとは限らない。
【００１７】
さらに、本実施形態では、蓋１３には、蓋側係止部１４の垂下部１４ｄから下方に延設して、縮径部１５ａを有する延設部１５が設けられており、受皿１１には、受皿側係止部１２の垂下部１２ｄの先端部から外側に向けて横方向に張り出して、外側係止部１２ｅが設けられており、この外側係止部１２ｅは、蓋側係止部１４ａの垂下部１４ｄの縮径部１５ａとの接続基端部１４ｇに係止されることで、外嵌合部２２が形成されている。
【００１８】
さらに、本実施形態では、包装容器１０は、上述のように、受皿１１の受皿本体部１１ａに詰め替え用の内容物として例えば粉体化粧料（図示省略）が収容されており、図５〜図７に示すように、有底筒形状の被詰替え容器であるコンパクト本体３０の上面開口から、当該コンパクト本体３０の内側に受皿１１を落し込んで装着することによって（図７参照）、内容物を詰め替える詰替え用の容器として用いられるようになっている。包装容器１０は、被詰替え容器であるコンパクト本体３０の周壁３０ａの上端部３０ｂを被載置部として、延設部１５の延設載置部１５ｂを当該周壁３０ａの上端部３０ｂに載置することにより、蓋１３を介して受皿１１を周壁３０ａに支持させた状態から（図５参照）、図６及び図７に示すように、蓋１３に上方から押圧力を加えたり、加えた押圧力を開放したりすることで、蓋側係止部１４の変形により受皿側係止部１２の嵌着状態を解除させて、内容物を収容した受皿１１を、コンパクト本体３０の内側に落し込んで装着できるようになっている。
【００１９】
本実施形態では、包装容器１０を構成する受皿１１は、例えばポリエチレンテレフタレートなどのポリエステル系樹脂、ポリプロピレン系樹脂、ポリスチレン系樹脂、ポリエチレン系樹脂、ポリ乳酸系樹脂等による合成樹脂製の薄肉のシート材料からなる。受皿１１は、好ましくは真空成形等によって一体として形成された、例えば０．０２〜０．８ｍｍ程度の肉厚を有する成形加工品となっている。受皿１１は、これらの合成樹脂から単層で構成されていてもよく、多層で構成されていてもよい。受皿１１は、内容物を視認したい場合には、透明なシート材料を用いて形成された透明なシート成形品となっていることが好ましい。受皿１１は、図１（ａ）、（ｂ）及び図２に示すように、内容物を収容する受皿本体部１１ａと、受皿側係止部１２とを含んで構成されている。
【００２０】
受皿本体部１１ａは、例えば３０〜２００ｍｍ程度の外径の円形状の平面形状を有すると共に、例えば３０〜２００ｍｍ程度の高さを有する有底円筒形状として、倒立した切頭円錐形状を備えている。すなわち、受皿本体部１１ａは、底部１１ｃと周壁１１ｂとを有しており、周壁１１ｂは、底部１１ｃから上面開口に向けて内径を滑らかに拡径させた、テーパー状周壁部１１ｅと、テーパー状周壁部１１ｅの上端縁部から拡径することなく上方に立設して設けられた、垂下周壁部１１ｆとを備えており、これらによって倒立した切頭円錐形状を形成している。また、受皿本体部１１ａには、これの上面開口の開口周縁部である垂下周壁部１１ｆの上端縁部に接続して、受皿側係止部１２のフランジ部１２ｃが、周方向に円環状に連続して外側に張り出した状態で設けられている。
【００２１】
ここで、受皿本体部１１ａの上面開口は、当該受皿本体部１１ａと受皿側係止部１２のフランジ部１２ｃとの接続箇所である、垂下周壁部１１ｆの上端縁部によって囲まれた領域である。また、受皿本体部１１ａの平面形状の「円形状」には、略円形も含まれる。略円形には、楕円、長円、一部に直線を有する円等が含まれる。
【００２２】
受皿本体部１１ａは、本実施形態では、上述のように、倒立した扁平な切頭円錐形状を備える部分であり、好ましくは底部１１ｃを、蓋１３の延設載置部１５ｂの下端部（周縁補強部１５ｃの下端部）と同等または下端部よりも下方に配置した状態で設けられている。
【００２３】
受皿側係止部１２は、図３及び図４にも示すように、本実施形態では、受皿本体部１１ａの周壁１１ｂの上端部１１ｄと、周壁１１ｂの上端部１１ｄの垂下周壁部１１ｆの上端縁部に接続して外側に張り出して設けられたフランジ部１２ｃと、フランジ部１２ｃの外側縁部から垂下して設けられた垂下部１２ｄとを含んで形成されている。受皿側係止部１２は、蓋側係止部１４の内側に、下方から嵌め込むようにして抱え込まれた状態で固定されることが可能な形状を備えている。受皿側係止部１２は、受皿本体部１１ａの周壁部１１ｂの上端部１１ｄを蓋側係止部１４の立設部１４ｂに重ね合わせた状態で、蓋側係止部１４の内側に嵌め込まれている。
【００２４】
本実施形態では、受皿１１と共に包装容器１０を構成する蓋１３は、例えばポリエチレンテレフタレートなどのポリエステル系樹脂、ポリプロピレン系樹脂、ポリスチレン系樹脂、ポリエチレン系樹脂、ポリ乳酸系樹脂等による合成樹脂製の薄肉のシート材料からなる。蓋１３は、好ましくは真空成形等によって一体として形成された、例えば０．０２〜０．８ｍｍ程度の肉厚を有する成形加工品となっている。蓋１３は、これらの合成樹脂から単層で構成されていてもよく、多層で構成されていてもよい。蓋１３は、内容物を視認できるように、透明なシート成形品となっていることが好ましい。蓋１３は、好ましくは受皿１１よりも厚さが薄くなるように形成することで、より変形し易くすることが可能になる。蓋１３は、図１（ａ）、（ｂ）及び図２に示すように、受皿本体部１１ａの上面開口を覆う蓋本体部１３ａと、蓋側係止部１４とを含んで構成されている。
【００２５】
蓋本体部１３ａは、例えば３０〜２００ｍｍ程度の外径を備え、好ましくは受皿本体部１１ａと相似形の円形状の平面形状を有している。蓋本体部１３ａは、その中央に押圧操作部１３ｄを含んで形成されている。押圧操作部１３ｄは、環状接続部１３ｅとの接続基端部から、例えば３０〜２００ｍｍ程度の高さに上面部１３ｃを配置した、扁平なマウンド状の切頭円錐形状を備えている。すなわち、押圧操作部１３ｄは、上面部１３ｃから下方に向けて内径を滑らかに拡径させた、テーパー形状の周壁部１３ｂを備えており、これによって扁平な切頭円錐形状を形成している。本実施形態では、押圧操作部１３ｄの上面部１３ｃは、蓋側係止部１４のフランジ部１４ｃよりも若干低くなるように設けられている。また、蓋本体部１３ａは、押圧操作部１３ｄの周壁部１３ｂの下端外周縁部から外側に張り出して、環状接続部１３ｅを備えている。環状接続部１３ｅは、蓋側係止部１４を、押圧操作部１３ｄの周壁部１３ｂから離間させた状態で、蓋本体部１３ａに支持させる。環状接続部１３ｅは、押圧操作部１３ｄの周壁部１３ｂの下端外周縁部に沿って、周方向に環状に連続して設けられている。環状接続部１３ｅは、幅方向中央部分で横方向から外側に向けて斜め上方に傾斜した断面形状を有している。環状接続部１３ｅは、外周縁部を、蓋側係止部１４の立設部１４ｂとの接続角部分である、立設部１４ｂの下端角部１４ｅに接続することで、蓋側係止部１４を、蓋本体部１３ａに支持させる。蓋本体部１３ａの平面形状の「円形状」には、受皿本体部１１ａの平面形状と同様に、略円形も含まれる。略円形には、楕円、長円、一部に直線を有する円等が含まれる。
【００２６】
蓋側係止部１４は、本実施形態では、蓋本体部１３ａの外周部分に沿って円環状の平面形状を備えるように形成されている。蓋側係止部１４の垂下部１４ｄから下方に延設して、縮径部１５ａを有する延設部１５が設けられている。延設部１５には、縮径部１５ｄからさらに下方に延設して、延設載置部１５ｂが設けられている。蓋側係止部１４は、好ましくは蓋１３の他の部分と比較して厚さが薄くなるように形成することで、受皿側係止部１２との嵌着状態を解除する際に、より変形し易くすることが可能になる。また、蓋側係止部１４は、厚さを、好ましくは受皿側係止部１２の厚さよりも薄くすることで、より変形し易くすることが可能になる。
【００２７】
蓋側係止部１４は、立設部１４ｂとフランジ部１４ｃと垂下部１４ｄとからなる開放側を、下方に向けて配置した断面形状を有する部分となっている。すなわち、蓋側係止部１４は、蓋本体部１３ａの環状接続部１３ｅの外側縁部から上方に立設する立設部１４ｂと、立設部１４ｂの上端縁部から外側に張り出すフランジ部１４ｃと、フランジ部１４ｃの外側縁部から下方に垂下する垂下部１４ｄとを備える開放側を、下方に向けた断面形状を有している。受皿本体部１１ａに内容物が収容された受皿１１に、蓋１３を装着する際に、蓋側係止部１４には、上述の受皿側係止部１２が、内嵌合部２１及び外嵌合部２２による係合によって係着される（図３参照）。これによって、受皿側係止部１２が、全周に亘って、蓋側係止部１４の内側に係着された状態を保持することが可能になる。またこれによって、受皿本体部１１ａに内容物が収容された受皿１１と、蓋１２とが一体となった、包装容器１０が形成される。
【００２８】
本実施形態では、蓋側係止部１４の垂下部１４ｄの下端縁部から下方に延設して、延設部１５が設けられている。延設部１５は、本実施形態では、縮径部１５ａが垂下部１４ｄの下端縁部と接続して、内側に凸となった円弧状の断面形状を有する、湾曲形状となるように形成されている。延設部１５及びその縮径部１５ａは、蓋側係止部１４の周方向に円環状に連続して設けられている。延設部１５は、縮径部１５ａの下方に、当該縮径部１５ａに一体として接続して、延設載置部１５ｂが設けられている。延設載置部１５ｂもまた、蓋側係止部１４の周方向に円環状に連続して設けられている。
【００２９】
延設載置部１５ｂは、本実施形態では、縮径部１５ａから下方に連続する末広がりの拡径部１５ｃを含んで形成されている。縮径部１５ａの下端部の、最も縮径した箇所よりも下方の部分が、延設載置部１５ｂの拡径部１５ｃとなっている。拡径部１５ｃは、縮径部１５ａと共に、滑らかに連続する断面形状を形成するように設けられている。延設載置部１５ｂは、拡径部１５ｃの下端部に、被詰替え容器であるコンパクト本体３０の周壁３０ａの上端部３０ｂに面状に当接させて載置される、載置面部１５ｄが設けられている。載置面部１５ｄは、拡径部１５ｃから外側に折れ曲がって設けられている。載置面部１５ｄは、コンパクト本体３０の周壁３０ａの上端部３０ｂの平坦な端面に沿って面接触可能なように、拡径部１５ｃから、上下方向と垂直な横方向に角度を変化させて張り出した状態で設けられた、面状の部分となっている。
【００３０】
また、本実施形態では、延設載置部１５ｂには、載置面部１５ｄの外周縁部から下方に延設して、周縁補強部１５ｅが設けられている。周縁補強部１５ｅは、載置面部１５ｄの外周縁部から下方に延設する内周壁と、内壁部の下端縁部から外側に延設する底壁と、底壁の外周縁部から上方に立設する外周壁とからなる、開放側を上方に向けた断面形状を有している。周縁補強部１５ｅは、半円等の湾曲形状部分を含む断面形状を有していてもよい。周縁補強部１５ｅの内周壁の内径は、被詰替え容器であるコンパクト本体３０の周壁３０ａの上端部３０ｂの外径よりも、僅かに大きくなっている。これによって、図５に示すように、コンパクト本体３０の周壁３０ａに支持させて、コンパクト本体３０の上面開口を覆って受皿容器１０をセットした際に、載置面部１５ｄを、全周に亘ってコンパクト本体３０の周壁３０ａの上端部３０ｂに、面状に容易に当接させることが可能になる。またこれによって、蓋１３を介して安定した状態で、受皿１１を周壁３０ａに支持させることが可能になる。
【００３１】
なお、図１や図２や図５〜図７等において、受皿１１は、説明の便宜上、受皿本体部１１ａの内部に内容物が収容されていない状態で示されているが、本実施形態では、受皿本体部１１ａには、実際には、内容物である粉体化粧料が収容された状態となっている。また、受皿１１に内容物が未だ収容されていない状態の包装容器１０は、特許請求の範囲の請求項７の包装容器に含まれる。
【００３２】
そして、上述の構成を備える本実施形態の包装容器１０では、図３に示すように、受皿側係止部１２と蓋側係止部１４とは、受皿側係止部１２に蓋側係止部１４を上方から嵌め込むことで、内嵌合部２１及び外嵌合部２２による係合によって、周壁１１ｂの上端部１１ｄと蓋側係止部１４の立設部１４ｂとを重ね合わせると共に、受皿側係止部１２のフランジ部１２ｃと蓋側係止部１４のフランジ部１４ｃとを重ね合せた状態で、嵌着されている。また、本実施形態の包装容器１０では、受皿本体部１１ａの周壁１１ｂの上端部１１ｄの垂下周壁部１１ｆは、蓋側係止部１４の立設部１４ｂの高さよりも短い長さで垂下していると共に、斜めに傾斜するテーパー状周壁部１１ｂの上端縁部と接続している。これによって、内嵌合部２１は、図４にも示すように、受皿本体部１１ａの周壁１１ｂの上端部１１ｄにおいて、テーパー状周壁部１１ｅの、蓋側係止部１４の立設部１４ｂの下端角部１４ｅへの密着による嵌合代の大きな角部嵌合部２１ｂと、テーパー状周壁部１１ｅよりも上方部分の垂下周壁部１１ｆの、蓋側係止部１４の立設部１４ｂへの密着による嵌合代の小さな上部嵌合部２１ａとによる、二段構成の嵌着部を形成している。
【００３３】
なお、図３及び図４における拡大略示断面図では、嵌合代の大きさを説明し易くするために、蓋１３の中心と、受皿１１の中心とを合致させて、蓋側係止部１４に受皿側係止部１２及び周壁１１ｂの上端部１１ｄを嵌め込んだ際に、蓋側係止部１４や、受皿側係止部１２及び周壁１１ｂの上端部１１ｄが断線変形する前の、これらが互いに重なり合った仮想の状態を示している。
【００３４】
本実施形態では、受皿側係止部１２のフランジ部１２ｃは、蓋側係止部１４のフランジ部１４ｃよりも、短い長さで設けられている。また、本実施形態では、受皿側係止部１２ａの垂下部１２ｄの下端縁部から、外側に向けて横方向に張り出して、外側係止部１２ｅが設けられている。
【００３５】
これらによって、受皿側係止部１２が、蓋側係止部１４の内側に嵌め込まれて、周壁１１ｂの上端部１１ｄ及びフランジ部１２ｃが、蓋側係止部１４の立設部１４ｂ及びフランジ部１４ｃに重ね合された状態では、受皿側係止部１２の垂下部１２ｄと、蓋側係止部１４の垂下部１４ｄとの間には、隙間が保持される。また、受皿側係止部１２の垂下部１２ｄの下端縁部から外側に張り出して設けられた外側係止部１２ｅは、蓋側係止部１４における垂下部１４ｄと、延設部１５の縮径部１５ａとの接続基端部１４ｇに係止されることで、受皿側係止部１２と蓋側係止部１４との外嵌合部２２が形成されることになる。
【００３６】
本実施形態では、外嵌合部２２が、受皿側係止部１２の垂下部１２ｄの下端縁部から外側に向けて横方向に張り出して設けられた外側係止部１２ｅを、蓋側係止部１４ａの垂下部１４ｄと延設部１５の縮径部１５ａとの接続基端部１４ｇに係止することによって形成されていることにより、蓋１３と受皿１１を固定し、内容物漏れを一層防止するという作用効果が得られる。また本実施形態では、外嵌合部２２は、受皿本体部１１ａの周壁１１ｂの上端部１１ｄにおけるテーパー状周壁部１１ｅが、蓋側係止部１４の立設部１４ｂの下端角部１４ｅへ密着することによる下方嵌合部２１ｂよりも、下方に配置されている。これによって内嵌合部２１と外嵌合部２２との径方向の嵌合バランスが安定することになる。
【００３７】
そして、上述の構成を備える、受皿１１と蓋１３とが着脱可能に係着された本実施形態の受皿容器（包装容器）１０によって、内容物として例えば粉体化粧料を、被詰替え容器であるコンパクト容器のコンパクト本体３０に詰め替えるには、図５に示すように、粉体化粧料が受皿本体１１ａに収容された受皿１１に蓋１３が一体として装着された状態の受皿容器１０を、蓋１３の延設載置部１５ｂの載置面部１５ｄをコンパクト本体３０の周壁３０ａの上端部３０ｂに面状に当接させた状態で載置して、コンパクト本体３０にセットする。これによって、詰替え用の内容物が収容された受皿１１を、蓋１３を介してコンパクト本体２２の周壁２２ａに支持させることができる。受皿容器１０がコンパクト本体３０にセットされた状態では、受皿側係止部１２と、蓋側係止部１４とは、上部嵌合部２１ａと角部嵌合部２１ｂとの二段構成の内嵌合部２１による係合、及び外嵌合部２１による２重の係合によって、これらのフランジ部１２ｃ，１４ｃや、周壁１１ｂの上端部１１ｄと立設部１４ｂとを重ね合せた状態で、嵌着されている。
【００３８】
受皿容器１０をコンパクト本体３０にセットしたら、図６に示すように、蓋１３の押圧操作部１３ｄに上方から押圧力を加える。これによって、蓋側係止部１４のフランジ部１４ｃを下方に傾けるようにして、蓋側係止部１４が弾性変形することで、立設部１４ｂ及び受皿本体部１１ａの周壁１１ｂの上端部１１ｄを介した、上部嵌合部２１ａと角部嵌合部２１ｂとの二段構成の内嵌合部２１による係合状態を保持したまま、受皿側係止部１２が、蓋側係止部１４の垂下部１４ｄに対して相対的に下方に移動する。またこれによって、受皿側係止部１２の垂下部１２ｄの下端縁部に設けられた外側係止部１２ｅの、蓋側係止部１４の垂下部１４ｄと縮径部１５ａとの接続基端部１４ｇへの係止による外嵌合部２１が外れて開放されると共に、外側係止部１２ｅは、蓋側係止部１４を弾性変形させつつ、縮径部１５ａを乗り越えて、延設載置部１５ｂによる拡径部１５ｃに至るまで下方にスライドする。
【００３９】
しかる後に、図７に示すように、蓋１３の押圧操作部１３ｄに加えた押圧力を開放する。これによって、弾性変形した蓋側係止部１４は、フランジ部１４ｃや立設部１４ｂを上方に移動させつつ元の形状に戻ることになるが、延設部１５の縮径部１５ａを乗り越えた受皿側係止部１２の垂下部１２ｄの下端部の外側係止部１２ｅが、縮径部１５の手前で拡径部１５ｃに係止されることで、受皿側係止部１２は、上方への移動が阻止される。これよって、立設部１４ｂ及び受皿本体部１１ａの周壁１１ｂの上端部１１ｄを介した、上部嵌合部２１ａと角部嵌合部２１ｂとの二段構成の内嵌合部２１が外れて解放される。またこれによって、受皿１１を蓋１３からスムーズに取り外して、コンパクト本体２２の内部に落とし込むことで、内容物を容易に詰め替えることが可能になる。
【００４０】
したがって、本実施形態によれば、受皿容器１０をコンパクト本体３０にセットして、蓋１３の押圧操作部１３ｄに押圧力を加えたり、加えた押圧力を開放したりするだけの、ワンプッシュの簡単な操作によって、受皿１１に収容された内容物である粉体化粧料を、蓋１３で覆った状態を保持することで飛散させたり漏れ出させたりすることなく、被詰替え容器であるコンパクト本体３０に容易に詰め替えることが可能になる。
【００４１】
そして、上述の構成を備える本実施形態の受皿容器（包装容器）１０によれば、上述のように、薄肉の合成樹脂製のシート材料から簡易に且つコンパクトに形成することができ、好ましくはワンプッシュの簡単な操作によって、受皿１１と蓋１３との係着状態をスムーズに開放させて、蓋１３を受皿１１から容易に取り外すことができると共に、受皿容器１０が使用されるまでの間に、内容物が漏れ出たりブロッキングを生じたりするのを効果的に回避することが可能になる。
【００４２】
すなわち、本実施形態によれば、受皿１１に蓋１３が装着された際の、受皿側係止部１２と蓋側係止部１４との嵌着は、受皿側係止部１２と蓋側係止部１４ａとを、開放側を同じ下方に向けて配置して嵌め込むことで、内嵌合部２１及び外嵌合部２２による係合によって、少なくとも周壁１１ｂの上端部１１ｄと蓋側係止部１４ａの立設壁とを重ね合せた状態で、嵌着されているので、これらの嵌着によるシール機能によって、受皿容器１０が使用されるまでの間に、内容物が漏れ出るのを、効果的に回避することが可能になる。
【００４３】
特に、本実施形態では、角部嵌合部２１ｂの嵌合代は、上部嵌合部２１ａの嵌合代よりも大きい。このため、受皿側係止部１２と蓋側係止部１４との内嵌合部２１は、周壁１１ｂの上端部１１ｄの垂下周壁部１１ｆと、蓋側係止部１４の立設部１４ｂとの嵌合代の小さな比較的弱い嵌着形態となっている上部嵌合部２１ａと、受皿本体部１１ａの周壁１１ｂの上端部１１ｄに含まれるテーパー状周壁部１１ｅの、蓋側係止部１４の立設部１４ｂの下端角部１４ｅへの嵌合代の大きな線状の密着による、比較的強い嵌着形態となっている角部嵌合部２１ｂとによって、強弱二段構成の嵌着部を形成しているので、上部嵌合部２１ａによる機能と角部嵌合部２１ｂによる機能を補完し合うことによって、密閉性が高いにもかかわらず嵌合状態を外し易くなるという作用効果が奏される。
【００４４】
すなわち、上部嵌合部２１ａは、嵌合代の小さな弱い嵌着形態で接しているため嵌着状態がゆっくりと外れるようになっており、角部嵌合部２１ｂは、嵌合代の大きな強い嵌着形態で接しているため嵌着状態が急に外れるようになっているので、これらの相乗効果によって、強い嵌合力を実現しながらも、外し易い嵌合状態を得ることが可能になる。上部嵌合部２１ａの密着面積は、角部嵌合部２１ｂの密着面積よりも、大きくなっていることが好ましい。
【００４５】
本実施形態では、受皿本体部１１ａの周壁１１ｂの上端部１１ｄには、受皿側係止部１２のフランジ部１２ｃの内側縁部から垂下してテーパー状周壁部１１ｅの上端縁部に接続する、垂下周壁部１１ｆが設けられており、垂下周壁部１１ｆは、蓋側係止部１４の立設部１４ｂの高さよりも短い長さで垂下している。これによって、テーパー状周壁部１１ｅの上端縁部から下方において、蓋側係止部１４の立設部１４ｂとの嵌合代を形成し易くし、特に角部嵌合部２１ｂを形成し易くすることができる。
【００４６】
また、本実施形態では、受皿本体部１１ａの周壁１１ｂの上端部１１ｄの垂下周壁部１１ｆと、蓋側係止部１４の立設部１４ｂとの上部嵌合部２１ａは、嵌合代の小さな比較的弱い嵌着形態となっているので、嵌着された周壁１１ｂの上端部１１ｄの垂下周壁部１１ｆと蓋側係止部１４の立設部１４ｂとの間で、面同志が接触してなじんだことにより面同士が剥がれ難くなる現象であるブロッキングが生じるのを防止して、蓋１３から受皿１１を取り外し難くなるのを、効果的に回避することが可能になる。
【００４７】
さらに、本実施形態では、上部嵌合部２１ａにおける、受皿本体部１１ａの周壁１１ｂの上端部１１ｄと蓋側係止部１４の立設部１４ｂとの高さ方向の接触長さは、角部嵌合部２１ｂにおける高さ方向の接触長さよりも、大きくなっている。これによって、受皿１１を取り外す際に、ゆっくりと外すことができる。
【００４８】
このような作用効果を効率良く発揮させるために、内嵌合部２１の上部嵌合部２１ａにおける嵌合代（周壁１１ｂの上端部１１ｄの垂下周壁部１１ｆの中間部分における嵌合代）ｔ1（図４参照）は、０〜０．３ｍｍとすることが好ましく、０．１〜０．２ｍｍとすることが特に好ましい。内嵌合部２１の角部嵌合部２１ｂにおける嵌合代ｔ2（図４参照）は、０〜０．５ｍｍとすることが好ましく、０．０５〜０．３ｍｍとすることが特に好ましい。これによって、内容物の密閉性を高い状態に保持しながら、効率良く嵌合状態を開放することが可能になる。角部嵌合部２１ｂにおける嵌合代ｔ2は、下端角部１４ｅに該当する箇所における中心からの距離を、蓋１３と受皿１１について、蓋１３を受皿１１に装着していない状態の蓋１３と受皿１１の単体にてそれぞれ測定し、蓋１３の中心からの距離から、受皿１１の中心からの距離を引いて算出する。また、上部嵌合部２１ａにおける嵌合代ｔ1は、角部嵌合部２１ｂより上方の任意の位置で、且つ嵌合させたときに接する高さ位置において、嵌合代ｔ2と同様に蓋１３と受皿１１の単体にてそれぞれ測定し、蓋１３の中心からの距離から、受皿１１の中心からの距離を引いて算出する。嵌合代ｔ1及び嵌合代ｔ2の測定においては、画像処理や投影機などの非接触測定方法を用いて測定することができる。また、３箇所以上測定した値の平均値とすることが好ましい。
【００４９】
また、受皿側係止部１２の肉厚は、０．０２〜０．８ｍｍとなっていることが好ましく、０．２〜０．５ｍｍとなっていることが特に好ましい。これによって、受皿側係止部１２が変形するのを抑制すると共に、蓋１３の押圧操作部１３ｄからの押圧力を受皿側係止部１２に効率良く伝えさせて、受皿側係止部１２がスムーズに押し出されるようにすることが可能になる。蓋側係止部１４の肉厚は、０．０２〜０．８ｍｍとなっていることが好ましく、０．０５〜０．２ｍｍとなっていることが特に好ましい。これによって、蓋１３の押圧操作部１３ｄに押圧力を加えた際に、蓋側係止部１４を効率良く変形させることが可能になる。蓋側係止部１４の厚さ（肉厚）は、受皿側係止部１２の厚さ（肉厚）よりも、薄くすることが好ましい。これによって、蓋１３の押圧操作部１３ｄを押した時に、蓋側係止部１４のフランジ部１４ｃを効率よく変形させて、受皿１１のフランジ部１２ｃを変形させずに下方に押し出すことが可能になる。
【００５０】
さらに、受皿本体部１１ａのテーパー状周壁部１１ｅは、垂下周壁部１１ｆ（受皿本体部１１ａの底部１１ｃと垂直な方向）に対して１〜４５度の傾斜角度θ(図３、図４参照)で傾斜していることが好ましく、２〜２５度の傾斜角度θで傾斜していることが特に好ましい。これによって、角部嵌合部２１ｂによる、部分的にきつい嵌合状態を実現することが可能になると共に、内容物の密閉性を向上させることが可能になる。受皿本体部１１ａのテーパー状周壁部１１ｅの、垂下周壁部１１ｆ（受皿本体部１１ａの底部１１ｃと垂直な方向）に対する傾斜角度θは、画像処理装置や投影機などを用いた非接触測定方法によって、測定することができる。
【００５１】
また、本実施形態では、受皿側係止部１２と蓋側係止部１４との外嵌合部２２は、受皿側係止部１２ａの垂下部１２ｄの下端縁部から外側に張り出して設けられた外側係止部１２ｅを、蓋側係止部１４の垂下部１４ｄと延設部１５の縮径部１５ａとの接続基端部１４ｇに係止することによって得られるので、受皿側係止部１２を蓋側係止部１４に嵌め込んだり、嵌め込んだ状態を開放する際に、適度なクリック感を得ることが可能になる。
【００５２】
このため、受皿側係止部１２の垂下部１２ｄの下端縁部に設けられた外側係止部１２ｅによる、外嵌合部２２における嵌合代ｔ3（図３参照）は、０．１〜１．０ｍｍとなっていることが好ましく、０．３〜０．７ｍｍとなっていることが特に好ましい。これによって、内容物が容器外に漏れ出ることを抑制し、蓋１３の押圧操作部１３ｄを押して外嵌合部２２における嵌合状態を外した時の衝撃で、内嵌合部２１を開放し易くさせることが可能になる。
【００５３】
また、蓋側係止部１４の垂下部１４ｄの下端縁部から下方に延設して設けられた延設部１５の縮径部１５ａは、円弧状に湾曲する断面形状を備えており、この円弧状に湾曲する断面形状の曲率半径は、１．０〜２０．０ｍｍとなっていることが好ましく、５．０〜１５．０ｍｍとなっていることが特に好ましい。これによって、受皿側係止部１２と蓋側係止部１４ａとによる嵌合部を開放するときのクリック感と、十分な嵌合状態及び密閉性を実現することが可能になる。
【００５４】
さらに、本実施形態では、例えば受皿容器１０の蓋１３の蓋本体部１３ａの上面部１３ｃや、受皿１１の受皿本体部１１ａの底部１１ｃに、色彩、装飾、宣伝広告、能書、使用説明等を施しておくことで、意匠性や使い易さや消費者の購買意欲等を向上させること可能になる。また、例えば蓋側係止部１４のフランジ部１４ｃの表面に、色彩や装飾等を施しておくことによって、受皿側係止部１２のフランジ部１２ｃと、蓋側係止部１４のフランジ部１４ｃとの間に、内容物が挟まったまま残っている場合でも、これらの内容物を覆い隠して、受皿容器１０の外観が損なわれるのを効果的に回避することが可能になる。
【００５５】
なお、本発明は上記実施形態に限定されることなく種々の変更が可能である。例えば、受皿側係止部と蓋側係止部との外嵌合部は、受皿側係止部の垂下部の下端縁部から外側に向けて横方向に張り出して設けられた外側係止部を、蓋側係止部の垂下部の、延設部の縮径部との接続基端部に係止することによって形成されるものである必要は必ず無く、その他の種々の形態で外嵌合部を形成しても良い。また、受皿本体部の周壁の上端部に、受皿側係止部のフランジ部の内側縁部から垂下して、蓋側係止部の立設部よりも短い長さの垂下周壁部が設けられていて、この垂下周壁部の下端がテーパー状周壁部の上端縁部に接続している必要は必ずしも無い。例えば、テーパー状周壁部が、受皿側係止部のフランジ部の内側縁部に直接に接続するまで延設していることで、蓋側係止部の立設部と重なる周壁の上端部の全体が、テーパー状周壁部の上端部によって形成されていても良い。テーパー状周壁部は、湾曲しながらテーパー状の傾斜するものであっても良い。
【００５６】
また、コンパクト容器は用いずに、蓋と受皿の係着状態を開放させてもよい。この場合、受皿本体部１１ａの底部１１ｃを、蓋１３の延設載置部１５ｂの下端部（周縁補強部１５ｅの下端部）よりも上方に配置した状態で設けることが好ましい。
【符号の説明】
【００５７】
１０  包装容器（受皿容器）
１１  受皿
１１ａ  受皿本体部
１１ｂ  周壁
１１ｃ  底部
１１ｄ  周壁の上端部
１１ｅ  テーパー状周壁部
１１ｆ  垂下周壁部
１２  受皿側係止部
１２ｃ  フランジ部
１２ｄ  垂下部
１２ｅ  外側係止部
１３  蓋
１３ａ  蓋本体部
１３ｂ  周壁部
１３ｃ  上面部
１３ｄ  押圧操作部
１３ｅ  環状接続部
１４  蓋側係止部
１４ｂ  立設部
１４ｃ  フランジ部
１４ｄ  垂下部
１４ｅ  下端角部
１４ｇ  接続基端部
１５  延設部
１５ａ  縮径部
１５ｂ  延設載置部
１５ｃ  拡径部
１５ｄ  載置面部
１５ｅ  周縁補強部
２１  内嵌合部
２１ａ  上部嵌合部
２１ｂ  角部嵌合部
２２  外嵌合部
３０  コンパクト本体（被詰替え容器）
３０ａ  周壁
３０ｂ  上端部
【図１】
0006605262.tif 000002
【図２】
0006605262.tif 000003
【図３】
0006605262.tif 000004
【図４】
0006605262.tif 000005
【図５】
0006605262.tif 000006
【図６】
0006605262.tif 000007
【図７】
0006605262.tif 000008